(57)【要約】【課題】電池電圧が変動してもコンデンサの充電時間が変動しないフラッシュ充電回路を提供する。【解決手段】電池Ｂａｔｔと発振トランスＴＦ１の一次巻線Ｎ１と発振用トランジスタＱ４を直列接続し、Ｑ４のベースに帰還巻線Ｎ３の出力をコンデンサＣ１と抵抗Ｒ５の直列回路を介して接続し、Ｑ４のベース、エミッタ間にＣ１の正帰還電流により蓄積された電荷を放電する向きにダイオードＤ１を接続してブロッキング発振回路を構成し、ＴＦ１の二次巻線Ｎ２に整流用ダイオードＤ２を介しメインコンデンサＣ２を接続して直流電圧を取り出し、Ｂａｔｔと並列に、抵抗Ｒ４と順方向のダイオードＤ３を直列接続した回路を接続し、Ｒ４とＤ３の接続点を抵抗Ｒ９を介して発振用トランジスタのベースに接続し、ベース電流供給源を定電圧化して電池の電圧変動により生ずるＣ１の充電時間の変動を軽減する。【選択図】図１
2004139878.tif 000002
【特許請求の範囲】
【請求項１】
直流電源が供給される発振トランスの一次巻線に発振用トランジスタを直列接続し、発振用トランジスタのベースに発振トランスの帰還巻線の出力を正帰還して発振用トランジスタの発振を持続させるブロッキング発振回路と、発振トランスの二次巻線に整流用ダイオードを介してコンデンサに接続して直流電圧を取り出す回路と、直流電源から発振用トランジスタのベースに電流を供給するベース電流供給回路と、を備えたフラッシュ充電回路において、
前記ベース電流供給回路は、定電圧化して発振用トランジスタにベース電流を供給することを特徴とするフラッシュ充電回路。
【請求項２】
請求項１に記載のフラッシュ充電回路において、
ブロッキング発振回路は、発振用トランジスタのベースに帰還巻線の一端をコンデンサと抵抗の直列回路を介して接続し、発振用トランジスタのベース、エミッタ間にコンデンサの電荷を放電する向きにダイオードを接続して構成し、
定電圧化したベース電流供給回路は、直流電源と並列に抵抗とこの抵抗にダイオードのアノードを接続した直列回路を接続し、抵抗とダイオードの接続点を抵抗を介して発振用トランジスタのベースに接続して構成することを特徴とするフラッシュ充電回路。
【発明の詳細な説明】
【０００１】
【発明の属する技術分野】
本発明は、フラッシュ充電回路に関し、特に電池の消耗等により電圧が低下した場合においても充電時間が変動しないフラッシュ充電回路に関する。
【０００２】
【従来の技術】
従来のフラッシュ充電回路を図２に示す。
フラッシュ充電回路は、ブロッキング発振を用いた昇圧回路とストロボを発光させるストロボ放電回路とメインコンデンサの充電電圧を規定電圧に制御する充電制御回路から構成される。
電池（電源）Ｂａｔｔと並列に、直列接続した抵抗Ｒ１と充電開始スイッチＳＷ１と抵抗Ｒ２が接続される。電池Ｂａｔｔの＋端子は、電源スイッチとして機能するＰＮＰトランジスタＱ１のエミッタ、コレクタを介して発振トランスＴＦ１の一次巻線Ｎ１の一方に接続され、トランジスタＱ１のベースは抵抗Ｒ３を介してＱ１のオン／オフを制御するＮＰＮトランジスタＱ２のコレクタに接続され、Ｑ２のベースはＳＷ１とＲ２の接続点に接続され、Ｑ２のエミッタは電池の−端子に接続される。
【０００３】
ＮＰＮトランジスタＱ３はメインコンデンサＣ２の規定電圧の充電完了検出信号によりトランジスタＱ２をオフさせる機能を有する。トランジスタＱ３のコレクタはＱ２のベースに、エミッタは電池の−端子にそれぞれ接続され、ベースはコンデンサＣ２の充電完了検出回路に接続される。
発振トランスＴＦ１の一次巻線Ｎ１の他方は発振用ＮＰＮトランジスタＱ４のコレクタに接続され、Ｑ４のエミッタは電池Ｂａｔｔの−端子に接続される。また、発振トランスＴＦ１の帰還巻線Ｎ３の一方は直列接続したコンデンサＣ１と抵抗Ｒ５を介して発振用トランジスタＱ４のベースに接続され、Ｎ３の他方は電池Ｂａｔｔの−端子に接続される。また、発振用トランジスタＱ４のベースとエミッタ間にはコンデンサＣ１の正帰還電流により蓄積された電荷を放電する方向にダイオードＤ１を接続する。
発振トランスＴＦ１の二次巻線Ｎ２は、整流用ダイオードＤ２を介してメインコンデンサＣ２に接続され、Ｃ２と並列に、充電完了検出回路として機能する直列接続したツェナーダイオードＺＤと抵抗Ｒ６と、直列接続した抵抗Ｒ７とトリガコンデンサＣ３の充電完了を報知するネオン管Ｎｅと抵抗Ｒ８と、ストロボ放電管Ｘｅが接続される。また、ネオン管Ｎｅと抵抗Ｒ７と並列に、トリガコンデンサＣ３と、直列接続されたトリガトランスＴＦ２の一次巻線とトリガスイッチＳＷ２が接続される。トリガトランスＴＦ２の二次巻線はトリガスイッチＳＷ２とトリガ電極２４に接続される。
また、ツェナーダイオードＺＤと抵抗Ｒ４の接続点とトランジスタＱ３のベースと接続する。
【０００４】
図２のフラッシュ充電回路の動作を説明する。
充電開始スイッチＳＷ１をオンすると抵抗Ｒ１、ＳＷ１を介してトランジスタＱ２のベースに電流が流れ、トランジスタＱ２がオンとなる。トランジスタＱ２がオンとなるとトランジスタＱ１のエミッタからベース、抵抗Ｒ３、Ｑ２を介して起動電流が流れＱ１がオンする。
トランジスタＱ１がオンすると、抵抗Ｒ４を介して発振用トランジスタＱ４のベースに電流が流れＱ４がオンする。発振用トランジスタＱ４がオンになると発振トランスＴＦ１の一次巻線Ｎ１を介してコレクタ電流ｉｃが流れ、二次巻線Ｎ２、帰還巻線Ｎ３に電圧を発生させる。
【０００５】
帰還巻線Ｎ３には発振用トランジスタＱ４のベース電圧Ｖｂを正にする電圧が発生し、この正帰還のベース電流ｉｂ２によって一層ベース電流ｉｂが増大する。ベース電流ｉｂ２は抵抗Ｒ５を介してコンデンサＣ１を充電し、ベース電圧Ｖｂを負電位とさせる。コレクタ電流ｉｃの増大が頭打ちになると共に発振用トランスＴＦ１の２次側Ｎ２の電圧が発生しなくなるが発振用トランジスタＱ４のベース電圧Ｖｂは負のためＱ４はオフ状態となる。その後、コンデンサＣ１の電荷はダイオードＤ１と抵抗Ｒ５を介して放電することによりベース電圧Ｖｂは増大して再びＱ４がオンとなって、上の過程を繰り返し、二次巻線Ｎ２に電圧を発生させる。
二次巻線Ｎ２に発生した電圧により整流用ダイオードＤ２を介してメインコンデンサＣ２を充電する。また、抵抗Ｒ７を介してトリガコンデンサＣ３を充電する。トリガコンデンサＣ３が規定の電圧まで充電されるとネオン管Ｎｅが点灯する。
メインコンデンサＣ２が規定の電圧まで充電されると、充電完了検出回路のＺＤがオンとなりトランジスタＱ３のベース電位が正となりオンする。トランジスタＱ３がオンするとトランジスタＱ２のベース電位が低下してＱ２はオフとなる。トランジスタＱ２がオフとなるとトランジスタＱ１のベース電流が流れなくなりＱ１はオフとなり発振が停止する。
次に撮影する場合にはトリガスイッチＳＷ２をオンするとトリガトランスＴＦ２の一次巻線に電流が流れ、２次側に高電圧を発生させてトリガ電極に印加することによりストロボ放電管Ｘｅを発光させる。
【０００６】
【発明が解決しようとする課題】
フラッシュ充電回路は、一般的に撮影枚数（撮影時間）を多くするため（すなわち電池の電圧低下に対処するため）、回路の駆動電圧を低く設定する必要がある。また、発振用トランジスタＱ４のコレクタ電流ｉｃが大きいと発振トランスＴＦ１が飽和するために一次巻線Ｎ１の巻数を増やす（インダクタンスを増やす）ことによりｉｃを小さくしていた。
【０００７】
発振用トランジスタＱ４のオン状態のベース電流ｉｂは、電池Ｂａｔｔから抵抗Ｒ４を通して流れる電流ｉｂ１と正帰還による電流ｉｂ２が加わった電流となる。図３を参照して説明すると、電池が規定電圧であった場合、ベース電流ｉｂは（ａ１）、コレクタ電流ｉｃは（ｂ１）に示す波形であるとすると、電池電圧が低下した場合には、ベース電流ｉｂはｉｂ１が減少することにより（ａ２）に示す波形となり、コレクタ電流ｉｃも減少して（ｂ２）に示す波形となる。
メインコンデンサＣ２の充電時間は一次巻線Ｎ１に流れる電流、すなわちコレクタ電流ｉｃに比例する。従って、電池電圧が低下した場合には充電時間が長くなる。このことによりフラッシュ充電時には入力電圧（電池電圧）の変動がそのまま充電時間の変動となっていた。
本発明は、電池電圧の低下にかかわらず充電時間に変動を生じないフラッシュ充電回路を提供することを目的とする。
【０００８】
【課題を解決するための手段】
上記課題を解決するために、本発明は、従来のフラッシュ充電回路において、抵抗とダイオードを追加することにより発振用トランジスタの電池から供給されるベース電流供給源を定電圧化して、電池の電圧変動により発生するベース電流の変化を抑え、すなわちコレクタ電流の変化を抑えてメインコンデンサの充電時間を一定とする。
【０００９】
【発明の実施の形態】
本発明のフラッシュ充電回路を図１を参照して説明する。
本発明は、従来のブロッキング発振を用いた昇圧回路のスイッチングトランジスタＱ４のベース電流ｉｂの供給回路が異なる。なお、本発明の充電電圧制御回路、ストロボ放電回路は図２の回路、動作と同様であり、昇圧回路の基本的な動作も従来の回路と同様であるので説明を省略する。
従来のフラッシュ充電回路の昇圧回路のスイッチングトランジスタＱ４のベース電流供給回路は、抵抗Ｒ４をトランジスタＱ１のコレクタと発振用トランジスタＱ４のベースに接続していたが、図２に示した本発明の昇圧回路のベース電流供給回路は、抵抗Ｒ４に抵抗Ｒ９を直列接続してＱ４のベースに接続し、また抵抗Ｒ４とＲ９の接続点（Ａ点）と電池の−端子間にダイオードＤ３のアノードをＡ点、カソードを電池の−端子に接続する。すなわち、抵抗Ｒ４とＲ９の接続点（Ａ点）をダイオードＤ３の順電圧ＶＦを利用して定電圧化する。従って、発振用トランジスタＱ４のベース電流供給源を定電圧化することによりＲ９を介して流れるベース電流ｉｂを一定とすることができ電池の電圧変動の影響を無くすことができる。
このベース電流供給回路は次のようの動作する。
トランジスタＱ１がオンすると、抵抗Ｒ４を介して、ダイオードＤ３と、抵抗Ｒ９を通して発振用トランジスタＱ４のベースに電流が流れる。この際、トランジスタＱ４がオフ状態にある場合、Ｖｂ（Ｑ４オフ状態のＶｂ（Ｖｂｅ））＜ＶＦ（Ｄ３の順電圧）であるために抵抗Ｒ８を介してベース電流ｉｂ１が流れ、Ｑ４がオンする。発振用トランジスタＱ４がオンするとＶｂ（Ｑ４オン状態のＶｂ（Ｖｂｅ））≒ＶＦとなり、ｉｂ１≒０となる。すなわち、電池から供給されるトランジスタＱ４のベース電流ｉｂ１はほとんど流れなくなるので、Ｑ４のベース電流ｉｂは電池の電圧に依存しないものとなる。従って、コレクタ電流ｉｃも電池電圧の変動に影響されなくなり、このためにメインコンデンサＣ２の充電時間の変動もなくなる。
【００１０】
【発明の効果】
以上説明したように、従来のフラッシュ充電回路において、安価な抵抗とダイオードを追加するのみで、電池の電圧低下による充電時間の変動を大幅に軽減することができる。
【図面の簡単な説明】
【図１】本発明のフラッシュ充電回路図。
【図２】従来のフラッシュ充電回路図。
【図３】従来のフラッシュ充電回路におけるスイッチングトランジスタのベース電流ｉｂ、コレクタ電流ｉｃ、ベース電圧Ｖｂの波形図。
【符号の説明】
Ｑ１〜Ｑ４　　　トランジスタ
Ｒ１〜Ｒ８　　　抵抗
Ｃ１〜Ｃ３　　　コンデンサ
ＳＷ１　　　　　　　充電開始スイッチ
ＳＷ２　　　　　　トリガスイッチ
ＴＦ１　　　　　　　発振トランス
ＴＦ２　　　　　　トリガトランス
ＺＤ　　　ツェナーダイオード
Ｎｅ　　　ネオン管
【図１】
2004139878.tif 000003
【図２】
2004139878.tif 000004
【図３】
2004139878.tif 000005